(57)【要約】【課題】床面の衛生化に寄与する技術を提供する。【解決手段】便器本体を有する本体部１４と、本体部１４を覆うカバー体１８と、床面２２とカバー体１８の間をシールするシール部材４２と、を備える。カバー体１８は、本体部１４に移動可能に接続される可動カバー３０を備え、シール部材４２は、可動カバー３０に取り付けられ、シール部材４２は、可動カバー３０が移動することによって、床面２２と可動カバー３０の間をシールするシール位置Ｐｂ１と、シール位置Ｐｂ１より上方に退避する退避位置との間を移動可能であってもよい。【選択図】図５
2020051169.tif 000002
【特許請求の範囲】
【請求項１】
便器本体を有する本体部と、
前記本体部を覆うカバー体と、
床面と前記カバー体の間をシールするシール部材と、を備える便器装置。
【請求項２】
前記カバー体は、前記本体部に移動可能に接続される可動カバーを備え、
前記シール部材は、前記可動カバーに取り付けられ、
前記シール部材は、前記可動カバーが移動することによって、前記床面と前記可動カバーの間をシールするシール位置と、前記シール位置より上方に退避する退避位置との間を移動可能である請求項１に記載の便器装置。
【請求項３】
前記シール部材は、前記本体部から間を空けた位置に配置される請求項２に記載の便器装置。
【請求項４】
前記カバー体は、前記本体部を覆う複数のカバーを備え、
前記シール部材は、隣り合う一対の前記カバーに個別に取り付けられる一対のシール部材を含み、
前記一対のシール部材の少なくとも一方は、前記一対のシール部材の間をシールする第１補助シール部を備える請求項１から３のいずれかに記載の便器装置。
【請求項５】
前記カバー体は、前記本体部を覆う複数のカバーを備え、
前記シール部材は、隣り合う一対の前記カバーに個別に取り付けられる一対のシール部材を含み、
前記一対のシール部材の少なくとも一方は、前記一対のカバーの間をシールする第２補助シール部を備える請求項１から４のいずれかに記載の便器装置。
【請求項６】
前記シール部材は、前記カバー体の外周面の下端から前記カバー体の内側に収まる位置に配置される請求項１から５のいずれかに記載の便器装置。
【請求項７】
前記シール部材は、前記カバー体の外周面の下端から前記カバー体の内側に間を空けた位置に配置される請求項６に記載の便器装置。
【請求項８】
前記シール部材の外周面は、前記カバー体の外周面の下端から下向きに延びるように設けられる請求項７に記載の便器装置。
【請求項９】
前記シール部材は、前記カバー体と前記床面の間に配置される長尺部と、前記長尺部の長手方向と直交する水平方向で前記カバー体と重なる位置に配置される位置決め部と、を備える請求項１から８のいずれかに記載の便器装置。
【発明の詳細な説明】
【技術分野】
【０００１】
本発明は、便器装置に関する。
【背景技術】
【０００２】
従来、便器本体を有する本体部の他に、本体部を覆うカバー体を備えた便器装置が提案される。特許文献１には、このようなカバー体が便器本体に脱着自在に取り付けられ、外観意匠を容易に変更できる便器装置が提案される。
【先行技術文献】
【特許文献】
【０００３】
【特許文献１】特開２００７−１９１９４８号公報
【発明の概要】
【発明が解決しようとする課題】
【０００４】
カバー体の内側はカバー体の外側から清掃し難い。よって、床面とカバー体の間からカバー体の内側に尿が入り込んでしまうと、床面上に尿が残存しやすくなり、汚臭の原因となってしまう。特許文献１の開示技術は、このような問題との関係で特段の対策を講じたものではなく、改善の余地があった。
【０００５】
本発明のある態様は、このような課題に鑑みてなされ、その目的の１つは、床面の衛生化に寄与する技術を提供する。
【課題を解決するための手段】
【０００６】
前述の課題を解決するための本発明の第１態様は便器装置である。この便器装置は、便器本体を有する本体部と、前記本体部を覆うカバー体と、床面と前記カバー体の間をシールするシール部材と、を備える。
【０００７】
第１態様によれば、カバー体の内側に向かって床面とカバー体の間を通ろうとする尿の動きをシール部材により抑えられる。これにより、カバー体の内側の床面上のようなカバー体の外側から清掃し難い箇所での尿の残存を避けられ、床面の衛生化に寄与できる。
【図面の簡単な説明】
【０００８】
【図１】実施形態の便器装置の側面図である。
【図２】実施形態の便器装置の側面断面図である。
【図３】実施形態の便器装置の正面断面図である。
【図４】可動カバーが露出位置にある状態を示す側面断面図である。
【図５】図２の範囲Ｓａの拡大図である。
【図６】図１の範囲Ｓｂの拡大図である。
【図７】図６のＡ−Ａ断面図である。
【図８】第１変形例のシール部材を示す断面図である。
【図９】第２変形例のシール部材を示す断面図である。
【発明を実施するための形態】
【０００９】
以下、本発明の実施形態の一例を説明する。同一の構成要素には同一の符号を付し、重複する説明を省略する。各図面では、説明の便宜のため、構成要素の一部を適宜省略したり、その寸法を適宜拡大、縮小する。図面は符号の向きに合わせて見るものとする。本明細書での「接触」、「接続」、「固定」、「取り付け」とは、特に明示がない限り、言及している条件を二者が直接的に満たす場合の他に、他の部材を介して満たす場合も含む。
【００１０】
図１は、本実施形態の便器装置１０の側面図であり、図２は、その側面断面図であり、図３は、その正面断面図である。
【００１１】
便器装置１０は、便器本体１２を有する本体部１４と、便器本体１２上に設けられる便座１６と、本体部１４を覆うカバー体１８と、を備える。
【００１２】
便器本体１２は、汚物を受ける便鉢部２０を備え、洗浄水により便鉢部２０内の汚物を排出可能である。本実施形態の便器本体１２は、大便器であるが、小便器でもよい。本実施形態の便器本体１２は、セラミックス、樹脂等を素材とする一体成形品である。
【００１３】
本体部１４は、ねじ等の固定具を用いて、トイレ室の被固定面に固定される。本実施形態の被固定面は床面２２であるが、トイレ室の側壁面でもよい。本実施形態の便器本体１２は、ベース２４を介して被固定面に固定される。
【００１４】
ベース２４は、本体部１４の一部となり、便器本体１２とは別体に設けられる。本実施形態のベース２４は板状をなす。便器本体１２はベース２４にねじ等の固定具を用いて固定される。
【００１５】
便座１６は、便器本体１２に第１接続機構２６を介して移動可能に接続される。本実施形態の第１接続機構２６はヒンジ機構であり、便座１６はヒンジ軸２８周りで本体部１４に回動可能に接続される。
【００１６】
カバー体１８は、本体部１４の下端部から上方にかけての範囲を覆う。本実施形態のカバー体１８は、本体部１４の下端部から上端部にかけての範囲を覆う。本実施形態のカバー体１８の外周面は、下方に向かうにつれて便器本体１２に近づくように設けられる。
【００１７】
カバー体１８は、平面視において、本体部１４の周りで本体部１４を少なくとも部分的に覆うように設けられる。本実施形態のカバー体１８は、平面視において、本体部１４の全周に亘る範囲を覆うように設けられる。以下、平面視において、本体部１４の周りを回る方向を「周方向」という。
【００１８】
本実施形態のカバー体１８は、本体部１４を覆う複数のカバー３０、３２を備える。複数のカバー３０、３２は互いに別体であり、本体部１４の異なる箇所を覆う。複数のカバー３０、３２には、可動カバー３０（第１カバー）と、固定カバー３２（第２カバー）とが含まれる。本実施形態において、可動カバー３０は本体部１４を前方及び左右の両側方から覆い、固定カバー３２は本体部１４を後方から覆う。
【００１９】
可動カバー３０は、本実施形態において、便座１６と一体化されており、便座１６の外周部から垂下するように設けられる。可動カバー３０は、本体部１４に、便座１６や第２接続機構３４を介して移動可能に接続される。本実施形態の第２接続機構３４は第１接続機構２６が兼ねている。本実施形態の第２接続機構３４はヒンジ機構であり、可動カバー３０はヒンジ軸２８周りで本体部１４に回動可能に接続される。固定カバー３２は、ねじ等の固定具を用いて、本体部１４に固定される本体固定部３６を備える。
【００２０】
図４は、可動カバー３０が露出位置Ｐａ２にある状態を示す側面断面図である。図２、図４を参照する。可動カバー３０は、本体部１４を覆うカバー位置Ｐａ１と、本体部１４の少なくとも一部を露出させる露出位置Ｐａ２との間を移動可能である。可動カバー３０が露出位置Ｐａ２にあるとき、カバー位置Ｐａ１にあるときに可動カバー３０が覆っていた箇所が露出する。この「少なくとも一部」には本体部１４の下端部が含まれる。
【００２１】
図５は、図２の範囲Ｓａの拡大図である。カバー体１８は、床面２２から隙間３８を空けて配置される。カバー体１８は、床面２２との間に隙間３８を形成する床対向面４０を備える。
【００２２】
図２、図５に示すように、便器装置１０は、床面２２とカバー体１８の間をシールするシール部材４２、４４を備える。本明細書でのシールとは、言及している二者の間を通ろうとする液体の流れを遮ることをいう。このような機能を発揮するうえで、シール部材４２、４４は、言及している二者の間に配置されることは必須とはならず、その外部に配置されていてもよい。シール部材４２、４４は、たとえば、図５の二点鎖線で示す位置に配置されてもよいということである。
【００２３】
本実施形態のシール部材４２、４４は、隣り合う一対のカバー３０、３２に個別に取り付けられる一対のシール部材４２、４４を含む。一対のシール部材４２、４４には、可動カバー３０に取り付けられる第１シール部材４２と、固定カバー３２に取り付けられる第２シール部材４４とが含まれる。
【００２４】
シール部材４２、４４は、本実施形態において、平面視において、本体部１４の周りで周方向に延びるように設けられる。本実施形態において、第１シール部材４２は本体部１４を前方及び左右の両側方から取り囲み、第２シール部材４４は本体部１４を後方から取り囲む。本実施形態の一対のシール部材４２、４４は、平面視において、本体部１４の全周に亘る範囲を取り囲むように設けられる。シール部材４２、４４は、本体部１４から間を空けた位置に配置される。別の観点からいうと、シール部材４２、４４は、平面視において、本体部１４の全周に亘る範囲で本体部１４と接触しない位置に配置される。
【００２５】
第１シール部材４２は、可動カバー３０の床対向面４０に取り付けられ、本体部１４の周りで周方向に延びるように設けられる。第２シール部材４４は、固定カバー３２の床対向面４０に取り付けられ、本体部１４の周りで周方向に延びるように設けられる。シール部材４２、４４のカバー３０、３２に対する取付手段は特に限定されない。この取付手段は、本実施形態では接着であるが、ねじ等の固定具、圧入等が用いられてもよい。
【００２６】
以下、第１シール部材４２と第２シール部材４４は、大半の構成が共通するため、その共通する構成に関して、第１シール部材４２を示す図面（図５等）を参照して説明する。
【００２７】
シール部材４２、４４は弾性変形可能な弾性体である。シール部材４２、４４は、本体部１４の周りで周方向に延びるように設けられる長尺部４６を備える。以下、長尺部４６の長手方向Ｘと、長尺部４６の幅方向Ｙを用いて説明する。長手方向Ｘは、図５の紙面直交方向となる。幅方向Ｙは、長手方向Ｘと直交する断面において、長手方向Ｘと直交する水平方向である。
【００２８】
第１シール部材４２は、可動カバー３０が移動することによって、床面２２と可動カバー３０の間をシールするシール位置Ｐｂ１（図２参照）と、シール位置Ｐｂ１より上方に退避する退避位置Ｐｂ２（図４参照）の間を移動可能である。可動カバー３０は、第１シール部材４２がシール位置Ｐｂ１にあるときにカバー位置Ｐａ１にあり、第１シール部材４２が退避位置Ｐｂ２にあるときに露出位置Ｐａ２にある。
【００２９】
本実施形態の長尺部４６は、カバー体１８の床対向面４０と床面２２の間に配置される。この条件は、第１シール部材４２に関しては、第１シール部材４２がシール位置Ｐｂ１にあるときに満たされる。第２シール部材４４に関しては、第１シール部材４２の位置によらず満たされる。これにより、シール部材４２、４４は、それらの間に弾性的に潰れ変形した状態で設けられ、それらの間をしっかりとシールできる。
【００３０】
本実施形態の長尺部４６は、第１シール部材４２が退避位置Ｐｂ２にあるとき、床面２２から間を置いた位置に配置される。これにより、可動カバー３０に取り付けられた第１シール部材４２を清掃し易くなる。
【００３１】
以上の便器装置１０は、床面２２とカバー体１８の間をシールするシール部材４２、４４を備える。よって、床面２２上に尿が飛散した場合において、カバー体１８の内側に向かって床面２２とカバー体１８の間を通ろうとする尿の動きをシール部材４２、４４により抑えられる。これにより、カバー体１８の内側の床面２２上のような、カバー体１８の外側から清掃し難い箇所での尿の残存を避けられる。これに伴い、尿の残存により汚臭が生じるのを避けられ、床面２２の衛生化に寄与できる。また、尿の残存により床面２２上に染みが生じるのを避けられる利点もある。なお、カバー体１８の外側に残存する尿は容易に拭き取れるため、カバー体１８の内側に尿が残存する場合と比べ、床面２２の衛生化に及ぼす影響は小さい。
【００３２】
シール部材４２、４４は、カバー体１８に取り付けられる。よって、床面２２にシール部材４２、４４を取り付ける場合と比べ、シール部材４２、４４とカバー体１８の位置合わせ作業が容易となり、便器装置１０の施工作業の容易化を図れる。
【００３３】
シール部材４２は、本体部１４から間を空けた位置に配置される。よって、シール部材４２を退避位置Ｐｂ２からシール位置Ｐｂ１に移動させたとき、シール部材４２に汚れがついていたとしても、その汚れの本体部１４に対する付着を避け易くなる。このため、本体部１４に対する汚れの付着を抑えられる。また、本体部１４と接触する位置にシール部材４２が配置される場合と比べ、カバー体１８の内側に向かってシール部材４２と床面２２の間から尿が入り込んだとしても、その尿が本体部１４まで届き難くなる。よって、この観点からも、本体部１４に対する汚れの付着を抑えられる。
【００３４】
便器装置１０の他の特徴を説明する。図６は、図１の範囲Ｓｂの拡大図である。図７は、図６のＡ−Ａ断面図である。本図では、シール部材４２、４４の床対向面４０を二点鎖線で示す。
【００３５】
第１シール部材４２の長手方向Ｘの第１端部４２ａと第２シール部材４４の長手方向Ｘの第２端部４４ａは、第１シール部材４２の長手方向Ｘに突き合わせられる。第１端部４２ａは、第１シール部材４２の長手方向Ｘにおいて、第２シール部材４４側に突き出る第１突出部４２ｂを備える。第２端部４４ａは、第１シール部材４２の長手方向Ｘにおいて、第１シール部材４２側に突き出る第２突出部４４ｂを備える。
【００３６】
第１シール部材４２の第１端部４２ａと第２シール部材４４の間には第１間隙部４８が形成される。本実施形態の第１間隙部４８は、第１シール部材４２と第２シール部材４４の幅方向Ｙに対向する側面４２ｃ、４４ｃの間に形成される第１部分４８ａが含まれる。本実施形態の第１間隙部４８には、第１シール部材４２の第１突出部４２ｂの先端面と第２シール部材４４の間に形成される第２部分４８ｂと、第２シール部材４４の第２突出部４４ｂの先端面と第１シール部材４２の間に形成される第３部分４８ｃとが含まれる。第１部分４８ａは第２部分４８ｂと第３部分４８ｃのそれぞれに通じている。
【００３７】
一対のシール部材４２、４４の少なくとも一方は、一対のシール部材４２、４４の間をシールする第１補助シール部５０を備える。本実施形態では第２シール部材４４が第１補助シール部５０を備える。第１補助シール部５０は、第２シール部材４４の側面４４ｃから突き出る凸部が構成する。第１補助シール部５０は、第１シール部材４２と第２シール部材４４の間で弾性的に潰れ変形した状態で設けられ、それらの間の第１間隙部４８をシールする。本実施形態では第１間隙部４８の第１部分４８ａがシールされる。これにより、カバー体１８の内側に向かって隣り合うシール部材４２、４４の間を通ろうとする尿の動きを第１補助シール部５０により抑えられる。
【００３８】
なお、第１補助シール部５０が凸部により構成される場合、可動カバー３０とともに第１シール部材４２がシール位置Ｐｂ１と退避位置Ｐｂ２の間を動くとき、第１補助シール部５０が接触する他のシール部材との間で生じる摺動抵抗を抑えられる。ここでの他のシール部材とは、本実施形態では第１シール部材４２である。
【００３９】
可動カバー３０と固定カバー３２は周方向に突き合わせられる対向端部３０ａ、３２ａを備える。可動カバー３０の対向端部３０ａと固定カバー３２の対向端部３０ｂの間には第２間隙部５２が形成される。第２間隙部５２は、可動カバー３０や固定カバー３２の下端部から上方に向けて延びている。
【００４０】
一対のシール部材４２、４４の少なくとも一方は、隣り合うカバー３０、３２の間をシールする第２補助シール部５４を備える。本実施形態では第１シール部材４２が第２補助シール部５４を備える。第２補助シール部５４は、第１シール部材４２の上面から上方に向けて突き出るように設けられる。第２補助シール部５４は、隣り合うカバー３０、３２の床対向面４０より上方に位置するように設けられる。第２補助シール部５４は、隣り合うカバー３０、３２の対向端部３０ａ、３０ｂの間に配置され、それらの間の第２間隙部５２の下部をシールする。本実施形態の第２補助シール部５４は、それらの間に弾性的に潰れ変形した状態で設けられる。これにより、カバー体１８の内側に向かって隣り合うカバー３０、３２の間を通ろうとする尿の動きを第２補助シール部５４により抑えられる。
【００４１】
図６に示すように、一対のカバー３０、３２の一方は、前述の第１間隙部４８の第２部分４８ｂを上方から塞いでいる。この一対のカバー３０、３２の一方とは、本実施形態では固定カバー３２が該当する。この第１間隙部４８の第２部分４８ｂは、カバー体１８の外側に露出する第１間隙部４８の一部となる。
【００４２】
一対のカバー３０、３２の他方は、前述の第１間隙部４８の一部となる第１間隙部４８の第３部分４８ｃを上方から塞いでいる。この一対のカバー３０、３２の他方とは、本実施形態では可動カバー３０が該当する。この第１間隙部４８の第３部分４８ｃは、カバー体１８の内側に露出する第１間隙部４８の一部となる。
【００４３】
図５を参照する。シール部材４２、４４は、Ｘ方向に直交する断面において、カバー体１８の外周面の下端１８ａからカバー体１８の内側に収まる位置に配置される。これは、Ｘ方向に直交する断面において、カバー体１８の下端１８ａを通る鉛直線Ｌａを引いたとき、その鉛直線Ｌａからカバー体１８の内側にシール部材４２、４４が配置されることを意味する。このカバー体１８の内側に収まる位置には、鉛直線Ｌａからカバー体１８の外側にはみ出ることなく、この鉛直線Ｌａと重なる位置にシール部材４２、４４の外周面が配置されている場合（図８参照）も含まれる。
【００４４】
カバー体１８の下端１８ａからカバー体１８の外側にシール部材４２、４４がはみ出してしまうと、そのはみ出し箇所とカバー体１８により尿が溜まりやすい内隅部が形成されてしまう。このような内隅部は布等の清掃具が届き難く、そこに溜まる尿は清掃し難い。この点、本実施形態によれば、カバー体１８の下端１８ａからシール部材４２、４４がはみ出ない構造となり、そのような内隅部が形成されなくなる。これに伴い、尿の清掃をし難い箇所が形成されなくなるため、便器装置１０の衛生化に寄与できる。
【００４５】
本実施形態のシール部材４２、４４は、カバー体１８の外周面の下端１８ａからカバー体１８の内側に間を空けた位置に配置される。本実施形態のシール部材４２、４４の外周面は、Ｘ方向に直交する断面において、下側に向かうにつれてカバー体１８の内側に延びるように設けられる。これにより、カバー体１８の外側からシール部材４２、４４を視認し難くなり、良好な意匠性を得られる。
【００４６】
図８は、第１変形例のシール部材４２、４４を示す断面図である。シール部材４２、４４の外周面は、Ｘ方向に直交する断面において、カバー体１８の外周面の下端１８ａから下向きに延びるように設けられてもよい。これにより、カバー体１８と床面２２の間に比較的に広い凹部５６（図５参照）が形成されなくなる。このような凹部５６は清掃具が届き難く、そこに溜まる尿は清掃し難い。この点、本実施形態によれば、そのような広い凹部５６が形成されなくなるため、便器装置１０の衛生化に寄与できる。
【００４７】
このような効果を得るうえでは、図示の例のように、シール部材４２、４４の外周面は、カバー体１８の下端１８ａから実質的に鉛直下向きに延びるように設けられると好ましい。ここでの「実質的」とは、言及している条件を厳密に満たす場合に限らず、寸法公差や製造誤差等の誤差の分だけ位置がずれる場合も含まれる。また、シール部材４２、４４の外周面は、カバー体１８の下端１８ａから下側に向かうにつれてカバー体１８の外側に延びるように設けられてもよい。
【００４８】
図９は、第２変形例のシール部材４２、４４を示す断面図である。本例のシール部材４２、４４は、前述の長尺部４６の他に、カバー体１８とＹ方向で重なる位置に配置される位置決め部５８を備える。本実施形態の位置決め部５８はカバー体１８の内側に配置されるが、カバー体１８の外側に配置されてもよい。位置決め部５８は、長尺部４６の幅方向Ｙの端側部分から上向きに突き出るように設けられる。位置決め部５８は、カバー体１８の下端部と幅方向Ｙに接触することで、カバー体１８に対するシール部材４２、４４の幅方向Ｙでの相対位置を決める役割を持つ。これにより、カバー体１８にシール部材４２、４４を取り付けるときに、カバー体１８にシール部材４２、４４を位置決めし易くなる。
【００４９】
各構成要素の他の変形例を説明する。
【００５０】
本体部１４はベース２４を備えなくともよい。
【００５１】
カバー体１８が本体部１４を覆う範囲は特に限定されない。カバー体１８は、平面視において、本体部１４を全周に亘る範囲で覆ってもよいし、その一部を部分的に覆ってもよい。これは、単数のカバーによりカバー体１８が構成されている場合、複数のカバーによりカバー体１８が構成されている場合の何れにおいて満たされてもよい。
【００５２】
カバー体１８は三つ以上のカバーにより構成されてもよい。この場合、シール部材は、隣り合う一対のカバー又は全てのカバーに個別に取り付けられてもよいし、一つのカバーにのみ取り付けられてもよい。
【００５３】
可動カバー３０は、便座１６と一体化されずに独立して、本体部１４に移動可能に接続されてもよい。この場合、第１接続機構２６とは別に第２接続機構３４が設けられることになる。
【００５４】
可動カバー３０の移動態様は特に限定されない。可動カバー３０は、たとえば、本体部１４に昇降可能に接続されてもよい。この場合、第２接続機構３４は、たとえば、ガイドとスライダを組み合わせて構成される。
【００５５】
カバー体１８が単数のカバー３０、３２により構成される場合、カバー３０、３２は可動カバー３０、固定カバー３２の何れを構成してもよい。カバー体１８が複数のカバー３０、３２により構成される場合、複数のカバー３０、３２は、可動カバー３０又は固定カバー３２のみで構成してもよい。
【００５６】
シール部材４２、４４は、カバー体１８ではなく、本体部１４又は床面２２に取り付けられてもよい。
【００５７】
一対のシール部材４２、４４の間をシールするうえで、一対のシール部材４２、４４の両方が本体部１４に移動不能に設けられてもよい。シール部材４２、４４は、カバー体１８の外周面の下端１８ａからカバー体１８の外側にはみ出ていてもよい。
【００５８】
シール部材４２、４４の長尺部４６の断面形状は特に限定されない。前述では平板状をなす例を説明した。この他にも、長尺部４６は、カバー体１８の床対向面４０または床面２２に突き出る突起部を持つ断面形状でもよい。この他にも、長尺部４６は、閉断面形状又は開断面形状の中空部を持つ断面形状でもよい。いずれの場合でも、シール部材４２、４４のシール機能を発揮するうえで潰れ変形させるべき箇所を長尺部４６の一部に限定できる。よって、長尺部４６全体を潰れ変形させる場合と比べ、シール機能の発揮に要する荷重を軽減できる。これは、可動カバー３０にシール部材４２から付与される反発力を軽減でき、その反発力に起因する可動カバー３０の位置の変化を抑えられる利点につながる。
【００５９】
平面視における本体部１４に対するシール部材４２、４４の相対位置は特に限定されない。複数のシール部材４２、４４は、本体部１４の少なくとも一部の範囲を取り囲むように設けられていてもよい。単数のシール部材４２、４４が本体部１４の全周に亘る範囲を取り囲むように設けられてもよい。
【００６０】
第１補助シール部５０は凸部である例を説明したが、第１シール部材４２と第２シール部材４４の対向する平坦部でもよい。第１補助シール部５０は、隣り合う一対のシール部材４２、４４の少なくとも一方が備えていればよく、それらの両方が備えてもよい。第１補助シール部５０は、シール部材４２、４４の幅方向Ｙの側面４２ｃ、４４ｃに設けられる例を説明したが、その長手方向Ｘの先端面に設けられてもよい。
【００６１】
第２補助シール部５４は、隣り合うシール部材４２、４４の少なくとも一方が備えていればよく、それらの両方が備えてもよい。第２補助シール部５４は、隣り合うカバー３０、３２の間に配置される例を説明したが、それらの第２間隙部５２の外側に配置されてもよい。いずれにしても、隣り合うカバー３０、３２の間をシールできればよい。
【００６２】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、発明の思想を逸脱しない範囲において、構成要素の変更、追加、削除等の多くの設計変更が可能である。前述の実施形態では、このような設計変更が可能な内容に関して、「実施形態」との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００６３】
以上の実施形態、変形例により具体化される発明を一般化すると、以下の技術的思想が導かれる。以下、発明が解決しようとする課題に記載の態様を用いて説明する。
【００６４】
第２態様の便器装置は、第１態様において、前記カバー体は、前記本体部に移動可能に接続される可動カバーを備え、前記シール部材は、前記可動カバーに取り付けられ、前記シール部材は、前記可動カバーが移動することによって、前記床面と前記可動カバーの間をシールするシール位置と、前記シール位置より上方に退避する退避位置との間を移動可能であってもよい。この態様によれば、シール部材が退避位置にあるとき、そのシール部材を清掃し易くなる。
【００６５】
第３態様の便器装置は、第２態様において、前記シール部材は、前記本体部から間を空けた位置に配置されてもよい。この態様によれば、シール部材を退避位置からシール位置に移動させるとき、シール部材に汚れがついていたとしても、その汚れの本体部に対する付着を避け易くなる。
【００６６】
第４態様の便器装置は、第１から第３態様のいずれかにおいて、前記カバー体は、前記本体部を覆う複数のカバーを備え、前記シール部材は、隣り合う一対の前記カバーに個別に取り付けられる一対のシール部材を含み、前記一対のシール部材の少なくとも一方は、前記一対のシール部材の間をシールする第１補助シール部を備えてもよい。この態様によれば、カバー体の内側に向かって隣り合うシール部材の間を通ろうとする尿の動きを第１補助シール部により抑えられる。
【００６７】
第５態様の便器装置は、第１から第４態様のいずれかにおいて、前記カバー体は、前記本体部を覆う複数のカバーを備え、前記シール部材は、隣り合う一対の前記カバーに個別に取り付けられる一対のシール部材を含み、前記一対のシール部材の少なくとも一方は、前記一対のカバーの間をシールする第２補助シール部を備えてもよい。この態様によれば、カバー体の内側に向かって隣り合うカバー部材の間を通ろうとする尿の動きを第２補助シール部により抑えられる。
【００６８】
第６態様の便器装置は、第１から第５態様のいずれかにおいて、前記シール部材は、前記カバー体の外周面の下端から前記カバー体の内側に収まる位置に配置されてもよい。この態様によれば、尿の清掃をし難い箇所が形成されなくなるため、便器装置の衛生化に着よできる。
【００６９】
第７態様の便器装置は、第６態様において、前記シール部材は、前記カバー体の外周面の下端から前記カバー体の内側に間を空けた位置に配置されてもよい。この態様によれば、カバー体の外側からシール部材を視認し難くなり、良好な意匠性を得られる。
【００７０】
第８態様の便器装置は、第６態様において、前記シール部材の外周面は、前記カバー体の外周面の下端から下向きに延びるように設けられてもよい。この態様によれば、カバー体と床面の間に比較的に広い凹部が形成されなくなるため、便器装置の衛生化に寄与できる。
【００７１】
第９態様の便器装置は、第１から第８態様のいずれかにおいて、前記シール部材は、前記カバー体と前記床面の間に配置される長尺部と、前記長尺部の長手方向と交差する水平方向で前記カバー体と重なる位置に配置される位置決め部と、を備えてもよい。この態様によれば、カバー体にシール部材を取り付けるときに、カバー体にシール部材を位置決めし易くなる。
【符号の説明】
【００７２】
１０…便器装置、１２…便器本体、１４…本体部、１８…カバー体、２２…床面、３０…可動カバー、４２…シール部材、４６…長尺部、５０…第１補助シール部、５４…第２補助シール部、５８…位置決め部。
【図１】
2020051169.tif 000003
【図２】
2020051169.tif 000004
【図３】
2020051169.tif 000005
【図４】
2020051169.tif 000006
【図５】
2020051169.tif 000007
【図６】
2020051169.tif 000008
【図７】
2020051169.tif 000009
【図８】
2020051169.tif 000010
【図９】
2020051169.tif 000011